(57)【要約】【課題】スクリーンセーバと連動するロックがかかる前に、警報音を発生することによって操作者に注意を促すようにして、不必要にロックがかかることがなく、操作者が煩わしさを感じることがないようにする。【解決手段】入力装置が操作されない状態が一定時間以上継続すると、表示装置１２にスクリーンセーバ画面を表示させるとともに、ロックをかける情報処理方法であって、前記スクリーンセーバ画面を表示させる前に警報音を発生する。【選択図】図１
2008083615.tif 000002
【特許請求の範囲】
【請求項１】
（ａ）入力装置が操作されない状態が一定時間以上継続すると、表示装置にスクリーンセーバ画面を表示させるとともに、ロックをかける情報処理方法であって、
（ｂ）前記スクリーンセーバ画面を表示させる前に警報音を発生することを特徴とする情報処理方法。
【請求項２】
前記ロックはパスワードの入力によって解除される請求項１に記載の情報処理方法。
【請求項３】
（ａ）操作者が操作する入力装置と、
（ｂ）情報処理結果を表示する表示装置と、
（ｃ）前記入力装置が操作されない状態が一定時間以上継続すると、前記表示装置にスクリーンセーバ画面を表示させるとともに、ロックをかけるスクリーンセーバ制御手段とを有する情報処理装置であって、
（ｄ）前記スクリーンセーバ制御手段が前記スクリーンセーバ画面を表示させる前に警報音を発生する警報音発生手段を有することを特徴とする情報処理装置。
【請求項４】
前記ロックはパスワードの入力によって解除される請求項３に記載の情報処理装置。
【発明の詳細な説明】
【技術分野】
【０００１】
本発明は、情報処理方法及び情報処理装置に関するものである。
【背景技術】
【０００２】
従来、パーソナルコンピュータ等のコンピュータから成る情報処理装置においては、一定時間操作が行われなかった場合、ＣＲＴ等の表示装置におけるディスプレイの焼き付きを防止するために、スクリーンセーバが用いられる（例えば、特許文献１参照。）。コンピュータを操作しない状態が続いたときにスクリーンセーバを起動させる時間を、スクリーンセーバプログラムにあらかじめ設定しておくと、次に操作が行われるまでの間、画面をブラックアウトして真っ黒な状態としたり、ブラックアウトする代わりに、アニメーション等を表示するようにしたりすることによって、ディスプレイの焼き付きを防止することができる。なお、スクリーンセーバの画像及びその動きは、スクリーンセーバプログラムによって様々である。
【０００３】
また、一定時間操作が行われない場合に画面を自動的に変更する前記スクリーンセーバの機能を利用して、コンピュータの操作者が、コンピュータを起動したままの状態で、例えば、席を外した場合に、コンピュータの記憶装置に記憶されているデータを第三者が覗（のぞ）き見したり、コピーしたりすることを防止するために、自動的にロックをかける技術が知られている。
【０００４】
通常のスクリーンセーバは、キーボード、マウス、タッチパッド等、いずれかの入力装置の操作を検知するとスクリーンセーバ画面を解除して通常の画面を表示し、通常の操作を行うことができる状態に復帰する。しかし、スクリーンセーバと連動するロックがかけられている場合、スクリーンセーバプログラムにあらかじめ設定されたパスワードを入力しなければ、スクリーンセーバ画面が解除されず、コンピュータは、通常の操作を行うことができる状態に復帰しないようになっている。このように、スクリーンセーバと連動するロックをかけることによって、コンピュータに記憶されたデータの機密性を保持することができる。
【特許文献１】特開２００２−３６６１２９号公報
【発明の開示】
【発明が解決しようとする課題】
【０００５】
しかしながら、前記従来のスクリーンセーバと連動するロックをかける方法においては、例えば、操作者がコンピュータの操作とともに他の作業も並行して行っているような場合、他の作業にかかる時間が長くなると自動的にロックがかけられてしまい、コンピュータの操作に復帰する度にパスワードを入力しなければならないので、操作者は煩わしく感じてしまう。
【０００６】
本発明は、前記従来の問題点を解決して、スクリーンセーバと連動するロックがかかる前に、警報音を発生することによって操作者に注意を促すようにして、不必要にロックがかかることがなく、操作者が煩わしさを感じることのない情報処理方法及び情報処理装置を提供することを目的とする。
【課題を解決するための手段】
【０００７】
そのために、本発明の情報処理方法においては、入力装置が操作されない状態が一定時間以上継続すると、表示装置にスクリーンセーバ画面を表示させるとともに、ロックをかける情報処理方法であって、前記スクリーンセーバ画面を表示させる前に警報音を発生する。
【０００８】
本発明の他の情報処理方法においては、さらに、前記ロックはパスワードの入力によって解除される。
【０００９】
本発明の情報処理装置においては、操作者が操作する入力装置と、情報処理結果を表示する表示装置と、前記入力装置が操作されない状態が一定時間以上継続すると、前記表示装置にスクリーンセーバ画面を表示させるとともに、ロックをかけるスクリーンセーバ制御手段とを有する情報処理装置であって、前記スクリーンセーバ制御手段が前記スクリーンセーバ画面を表示させる前に警報音を発生する警報音発生手段を有する。
【００１０】
本発明の他の情報処理装置においては、さらに、前記ロックはパスワードの入力によって解除される。
【発明の効果】
【００１１】
本発明によれば、情報処理方法においては、スクリーンセーバと連動するロックがかかる前に、警報音を発生することによって操作者に注意を促すようになっている。これにより、不必要にロックがかかることがなく、操作者は煩わしさを感じることがない。
【発明を実施するための最良の形態】
【００１２】
以下、本発明の実施の形態について図面を参照しながら詳細に説明する。
【００１３】
図１は本発明の実施の形態における情報処理装置の構成を示す図である。
【００１４】
図において、１０は、ＣＰＵ、ＭＰＵ等の演算装置、半導体メモリ、磁気ディスク等の記憶装置、キーボード１５、マウス１４等の入力装置、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置１２、スピーカ、ブザー等、警報音発生手段としての音声出力装置１３、通信インターフェイス等を備えるコンピュータとしての情報処理装置である。
【００１５】
本実施の形態において、該情報処理装置１０は、いかなる分野において使用される、いかなる種類のコンピュータであってもよく、例えば、銀行、信用金庫、郵便局等の金融機関において金融業務を行うための操作端末、サーバ、ホストコンピュータ等であってもよいし、インターネット等のネットワークに接続され電子商取引を行うための電子商取引端末やサーバであってもよいし、学校、家庭等において書類作成、帳簿記入、学習等を行うためのパーソナルコンピュータ等であってもよいし、事務所、企業、団体等において一般事務、会計、人事管理、売上管理、在庫管理等の業務を処理するためのパーソナルコンピュータ、業務処理用端末、サーバ、ホストコンピュータ等であってもよいし、ホテル、商店、建物、倉庫等において入場者の監視や設備管理をするための監視管理装置であってもよいし、工場における設備や製造機械を制御するための制御装置であってもよいし、研究所や実験場における実験装置や機械等を設計する設計装置であってもよい。
【００１６】
そして、本実施の形態において情報処理とは、前記情報処理装置１０によって実行されるあらゆる種類の業務に関するあらゆる種類の処理であり、例えば、書類作成、帳簿記入、電子メール送受信、電子商取引、金融業務、会計、人事管理、売上管理、在庫管理、入場者の監視及び設備管理、設備及び製造機械の制御、実験装置及び機械等の設計等の業務に関する計算式入力、データ入力、データチェック、データ更新、データ出力、実行命令入力、実行結果出力、通信実行等の処理である。
【００１７】
また、前記情報処理装置１０は、いかなる形態のコンピュータであってもよく、例えば、パーソナルコンピュータ、携帯情報端末、携帯電話機、電子手帳、ＰＤＡ（Ｐｅｒｓｏｎａｌ  Ｄｉｇｉｔａｌ  Ａｓｓｉｓｔａｎｔ）、サーバ、ワークステーション等であってもよい。さらに、前記情報処理装置１０は、単独で存在するものであってもよいし、複数のコンピュータを接続したものであってもよい。例えば、分散型サーバのように、複数のコンピュータが有機的に接続されたものであってもよいし、サーバ・クライアントシステムのように、演算手段及び記憶手段として機能するコンピュータと入力手段及び表示手段として機能するコンピュータとが分離しているものであってもよい。さらに、前記情報処理装置１０は、機械及び設備の制御装置等の他の装置と一体的に構成されたものであってもよいし、大型コンピュータ及びサーバ内に構築された複数のシステムの中の一つであってもよい。さらに、前記情報処理装置１０は、前記情報処理を実行する操作端末、サーバ、ホストコンピュータ制御装置等に付随的に接続されるものであってもよい。
【００１８】
そして、前記情報処理装置１０は、図に示されるように、演算装置、記憶装置、通信インターフェイス等を収容する筐（きょう）体から成る装置本体１１、該装置本体１１に接続され、操作者が情報処理を実行させるための操作を行う操作部として機能する入力装置、装置本体１１に接続され、実行した情報処理の結果等を表示する表示する表示装置１２、装置本体１１に接続され、効果音、音声ガイダンス、警報音等を発生する音声出力装置１３を有する。なお、図に示される例においては、入力装置としてキーボード１５及びマウス１４が示されているが、前記入力装置は操作者が操作可能な装置であれば、いかなる種類の装置であってもよく、押しボタン、タッチパネル、ジョイスティック、音声認識機能を備える音声入力装置、レバー、ダイヤル等であってもよい。
【００１９】
本実施の形態において、前記情報処理装置１０は、あらかじめ設定された一定時間の間に操作が行われなかった場合、表示装置１２の焼き付きを防止するために、スクリーンセーバを起動させるようになっている。該スクリーンセーバは、スクリーンセーバプログラムに従って作動し、通常の画面に代えて、アニメーション等のスクリーンセーバ画面を表示装置１２に表示させるものであるが、スクリーンセーバ画面の表示内容は適宜設定することができる。そして、スクリーンセーバは、キーボード１５、マウス１４等のいずれかの入力装置の操作を検知すると、スクリーンセーバ画面を解除して表示装置１２に通常の画面を表示させ、通常の操作を行うことができる状態に復帰させる。
【００２０】
また、前記情報処理装置１０は、スクリーンセーバの機能を利用して、操作者が、情報処理装置１０を作動させたままの状態で、例えば、席を外した場合に、記憶装置に記憶されているデータを第三者が覗き見したり、コピーしたりすることを防止するために、自動的にロックがかかるようになっている。すなわち、あらかじめ設定された一定時間の間に操作が行われないと、スクリーンセーバを起動するとともに、ロックがかかるようになっている。そして、ロックがかかると、情報処理装置１０は一切の操作を受け付けないので、第三者が記憶装置に記憶されているデータを覗き見したり、コピーしたりすることを確実に防止することができる。
【００２１】
なお、ロックがかかった状態は、スクリーンセーバ画面が解除されても維持される。すなわち、スクリーンセーバが、キーボード１５、マウス１４等のいずれかの入力装置の操作を検知して、表示装置１２に通常の画面を表示させても、ロックがかかった状態が維持されるので、第三者が入力装置を操作しても、データを覗き見したり、コピーしたりすることができない。
【００２２】
そして、ロックを解除するためには、あらかじめ設定されたパスワードを入力するようになっている。前記情報処理装置１０は、スクリーンセーバが、入力装置の操作を検知してスクリーンセーバ画面を解除すると、表示装置１２にパスワードを入力するためのパスワード入力欄を含む画面を表示させる。そして、操作者が、前記パスワード入力欄にパスワードを入力すると、ロックが解除され、通常の操作を行うことができるようになる。なお、前記パスワードは、操作者、情報処理装置１０の管理者等のように、情報処理装置１０を操作する権限を正当に付与された者だけに通知されるものとする。
【００２３】
さらに、前記情報処理装置１０は、スクリーンセーバが起動する直前、例えば、５〜１０秒程度前に、音声出力装置１３に警報音を発生させるようになっている。これにより、情報処理装置１０の傍らから離れることなく、該情報処理装置１０の操作以外の他の作業をしている操作者は、スクリーンセーバの起動とともにロックがかかることを認識することができる。そのため、短時間のうちに情報処理装置１０の操作に復帰する予定の操作者は、入力装置を操作してスクリーンセーバの起動を防止し、併せて、ロックがかかることを防止することができる。これにより、操作者は、情報処理装置１０の操作に復帰する際にパスワードを入力する手間を省くことができる。
【００２４】
なお、前記音声出力装置１３が発生する警報音は、例えば、通常のブザーが発生するようなビープ音であってもよいし、音声によるアナウンスであってもよいし、いかなる音色や種類のものであってもよい。また、前記警報音の音色や種類は、操作者等があらかじめ選択することができることが望ましい。
【００２５】
そして、前記情報処理装置１０は、機能の観点から、オペレーティングシステム（Ｏｐｅｒａｔｉｎｇ  Ｓｙｓｔｅｍ：ＯＳ）２１、設定時間保持部２２、時間監視部２３、スクリーンセーバ前処理部２４及びスクリーンセーバコンポーネント部２５を有する。前記オペレーティングシステム２１は、情報処理装置１０の基本となるプログラムであって、例えば、一般的なパーソナルコンピュータにおいて使用されるウィンドウズ（Ｒ）、マックＯＳ（Ｒ）等であるが、いかなるものであってもよい。また、前記設定時間保持部２２、時間監視部２３、スクリーンセーバ前処理部２４及びスクリーンセーバコンポーネント部２５は、前記オペレーティングシステム２１で作動するスクリーンセーバプログラムによって実現される機能部であって、スクリーンセーバ制御手段として機能する。
【００２６】
前記設定時間保持部２２は、情報処理装置１０を操作しない状態が続いたときにスクリーンセーバを起動させる時間を保持する。なお、該時間は、あらかじめ設定されるものであるが、適宜変更することができる。
【００２７】
そして、前記時間監視部２３は、キーボード１５、マウス１４等の入力装置の操作を監視し、情報処理装置１０を操作しない状態を計時して、該状態が続いた時間が前記設定時間保持部２２に保持されている時間に到達したか否かを判断する。なお、前記時間監視部２３による情報処理装置１０を操作しない状態の計時は、キーボード１５、マウス１４等の入力装置の操作が検知されると中断され、最初から、すなわち、ゼロから再びスタートするようになっている。
【００２８】
また、前記スクリーンセーバ前処理部２４は、情報処理装置１０を操作しない状態が設定時間保持部２２に保持されている時間に到達したことを時間監視部２３から受信すると、スクリーンセーバを起動するための前処理としてのスクリーンセーバ前処理を実行する。具体的には、音声出力装置１３から警報音を発生させる。
【００２９】
そして、前記スクリーンセーバコンポーネント部２５は、前処理が実行されたことをスクリーンセーバ前処理部２４から受信すると、スクリーンセーバ画面を表示装置１２に表示させる。それと連動してロックがかかり、情報処理装置１０は一切の操作を受け付けないようになる。なお、スクリーンセーバ前処理部２４が前処理を実行して音声出力装置１３が警報音を発生してから、スクリーンセーバ画面と連動してロックがかかるまでの時間は、あらかじめ一定時間として設定されるものであるが、適宜変更することができる。
【００３０】
次に、前記構成の情報処理装置１０の動作について説明する。ここでは、スクリーンセーバと連動してロックがかかる動作についてのみ説明する。
【００３１】
図２は本発明の実施の形態における情報処理装置の動作を示すフローチャートである。
【００３２】
まず、時間監視部２３は、スクリーンセーバで設定されている時間を基に、時間監視を行う。具体的には、キーボード１５、マウス１４等の入力装置の操作を監視し、情報処理装置１０を操作しない状態を計時する。
【００３３】
そして、前記時間監視部２３は、一定時間イベントなしであるか否かを判断する。具体的には、イベントなしの状態としての情報処理装置１０を操作しない状態が続いた時間が、一定時間としての設定時間保持部２２に保持されている時間に到達したか否かを判断する。ここで、イベントがある場合、すなわち、設定時間保持部２２に保持されている時間に到達する前にキーボード１５、マウス１４等の入力装置の操作が検知された場合、前記時間監視部２３は、再び、時間監視を開始し、情報処理装置１０を操作しない状態の計時を再開する。
【００３４】
また、一定時間イベントなしである場合、スクリーンセーバ前処理を起動する。具体的には、スクリーンセーバ前処理部２４が音声出力装置１３から警報音を発生させる。これにより、情報処理装置１０の傍らから離れることなく、該情報処理装置１０の操作以外の他の作業をしている操作者は、スクリーンセーバの起動とともにロックがかかることを認識することができる。前記操作者は、短時間のうちに情報処理装置１０の操作に復帰する予定があるときには、入力装置を操作してスクリーンセーバの起動を防止し、併せて、ロックがかかることを防止することができる。なお、短時間のうちに情報処理装置１０の操作に復帰する予定がないとき、操作者は、入力装置を操作することなく放置する。また、操作者が情報処理装置１０の傍らから離れている場合には、警報音を聴取することができないので、入力装置は操作することなく放置される。
【００３５】
次に、一定時間内にマウス１４又はキーボード１５の操作なしであるか否かが判断される。すなわち、音声出力装置１３が警報音を発生してから、スクリーンセーバ画面と連動してロックがかかるまでの一定時間内に入力装置の操作が検知されたか否かが判断される。そして、操作がある場合、すなわち、入力装置の操作が検知された場合、時間監視部２３は、再び、時間監視を開始し、情報処理装置１０を操作しない状態の計時を再開する。
【００３６】
また、操作なしである場合、すなわち、入力装置の操作が検知されなかった場合、スクリーンセーバのコンポーネントを起動する。具体的には、スクリーンセーバコンポーネント部２５が作動し、スクリーンセーバ画面が表示装置１２に表示され、それと連動してロックがかかり、情報処理装置１０は一切の操作を受け付けないようになる。これにより、第三者が情報処理装置１０の記憶装置に記憶されているデータを覗き見したり、コピーしたりすることを確実に防止することができる。
【００３７】
そして、操作者が入力装置を操作すると、スクリーンセーバ画面が解除され、表示装置１２にパスワードを入力するためのパスワード入力欄を含む画面が表示される。続いて、操作者が前記パスワード入力欄にパスワードを入力すると、ロックが解除され、通常の操作を行うことができるようになる。すなわち、パスワード入力でロック解除となる。そして、前記時間監視部２３は、再び、時間監視を開始し、情報処理装置１０を操作しない状態の計時を再開する。
【００３８】
次に、フローチャートについて説明する。
ステップＳ１  スクリーンセーバで設定されている時間を基に、時間監視を行う。
ステップＳ２  一定時間イベントなしであるか否かを判断する。一定時間イベントなしである場合はステップＳ３に進み、一定時間イベントなしでない場合はステップＳ１に戻る。
ステップＳ３  スクリーンセーバ前処理を起動する。
ステップＳ４  一定時間内にマウス１４又はキーボード１５の操作なしであるか否か判断する。一定時間内にマウス１４又はキーボード１５の操作なしである場合はステップＳ５に進み、一定時間内にマウス１４又はキーボード１５の操作なしでない場合はステップＳ１に戻る。
ステップＳ５  スクリーンセーバのコンポーネントを起動する。
ステップＳ６  パスワード入力でロックが解除とされ、ステップＳ１に戻る。
【００３９】
このように、本実施の形態においては、スクリーンセーバ画面が表示装置１２に表示される前に、音声出力装置１３が警報音を発生して操作者に注意を促すようになっている。これにより、操作者は、スクリーンセーバの起動とともにロックがかかることを認識することができる。そのため、短時間のうちに情報処理装置１０の操作に復帰する予定の操作者は、入力装置を操作してスクリーンセーバの起動を防止し、併せて、ロックがかかることを防止することができる。したがって、不必要にロックがかかることがなく、操作者は、情報処理装置１０の操作に復帰する際にパスワードを入力する手間を省くことができ、煩わしさを感じることがない。この場合、ロックがかからなくても、操作者が情報処理装置１０の傍らにいるので、セキュリティ上の問題はない。
【００４０】
また、操作者が、情報処理装置１０を作動させたままの状態で、情報処理装置１０から離れた場合には、情報処理装置１０の操作が一定時間の間行われないと、スクリーンセーバの起動に連動してロックがかかるようになっている。そして、ロックがかかると、情報処理装置１０は一切の操作を受け付けないので、第三者が記憶装置に記憶されているデータを覗き見したり、コピーしたりすることを確実に防止することができる。すなわち、セキュリティを保つことができる。
【００４１】
なお、本発明は前記実施の形態に限定されるものではなく、本発明の趣旨に基づいて種々変形させることが可能であり、それらを本発明の範囲から排除するものではない。
【図面の簡単な説明】
【００４２】
【図１】本発明の実施の形態における情報処理装置の構成を示す図である。
【図２】本発明の実施の形態における情報処理装置の動作を示すフローチャートである。
【符号の説明】
【００４３】
１０    情報処理装置
１２    表示装置
１３    音声出力装置
１４    マウス
１５    キーボード
２２    設定時間保持部
２３    時間監視部
２４    スクリーンセーバ前処理部
２５    スクリーンセーバコンポートネント部
【図１】
2008083615.tif 000003
【図２】
2008083615.tif 000004